(57)【特許請求の範囲】
【請求項１】
テレビ放送されている番組を受信する受信手段と、
前記受信手段が受信している番組をディスク形状の記録媒体に録画する録画手段と、
ディスク形状の記録媒体に録画されている番組を再生する再生手段と、を備えた録画再生装置において、
前記録画手段が番組を録画しているときに、番組本編からコマーシャルメッセージに切り換わったこと、およびコマーシャルメッセージから番組本編に切り換わったことを検知するコマーシャルメッセージ検知手段を備え、
前記録画手段は、前記コマーシャルメッセージ検知手段による検知結果に基づいて、番組本編と、番組本編の途中に挿入されているコマーシャルメッセージとを記録媒体に別タイトルで録画するとともに、番組本編の途中に挿入されている、時間的に連続している複数のコマーシャルメッセージについては同じタイトル名で記録媒体に録画する手段であり、また、一連の録画における、番組本編、およびこの番組本編の途中に挿入されているコマーシャルメッセージを関連するタイトル名で記録媒体に録画する手段であり、
さらに、前記再生手段において、番組本編のみを連続して再生するか、番組本編にコマーシャルメッセージを挿入して再生するか、さらには番組本編の途中に挿入されていたコマーシャルメッセージのみを連続して再生するか、を選択する選択手段を備えている録画再生装置。
【請求項２】
テレビ放送されている番組を受信する受信手段と、
前記受信手段が受信している番組をディスク形状の記録媒体に録画する録画手段と、
ディスク形状の記録媒体に録画されている番組を再生する再生手段と、を備えた録画再生装置において、
前記録画手段が番組を録画しているときに、番組本編からコマーシャルメッセージに切り換わったこと、およびコマーシャルメッセージから番組本編に切り換わったことを検知するコマーシャルメッセージ検知手段を備え、
前記録画手段は、前記コマーシャルメッセージ検知手段による検知結果に基づいて、番組本編と、番組本編の途中に挿入されているコマーシャルメッセージとを記録媒体に別タイトルで録画するとともに、一連の録画における、番組本編、およびこの番組本編の途中に挿入されているコマーシャルメッセージを関連するタイトル名で記録媒体に録画する手段であり、
さらに、前記再生手段において、番組本編のみを連続して再生するか、番組本編にコマーシャルメッセージを挿入して再生するか、さらには番組本編の途中に挿入されていたコマーシャルメッセージのみを連続して再生するか、を選択する選択手段を備えた録画再生装置。
【発明の詳細な説明】
【技術分野】
【０００１】
この発明は、テレビ放送されている番組をＤＶＤやＨＤ等のディスク形状の記録媒体に録画したり、記録媒体に録画されている番組を再生する録画再生装置に関する。
【背景技術】
【０００２】
従来、テレビ放送されている番組を受信し、これをＤＶＤ（ディジタルバーサタイルディスク）やＨＤ（ハードディスク）等のディスク形状の記録媒体に録画したり、記録媒体に録画されている番組を再生する録画再生装置が広く一般に普及している。また、ＤＶＤおよびＨＤの両方に対して番組の録画や、録画されている番組の再生が行える録画再生装置もある。殆どのテレビ局では、番組本編の途中にコマーシャルメッセージ（以下、ＣＭと言う。）を挿入している。従来の一般的な録画再生装置は、テレビ放送されている番組を記録媒体に録画するときに、番組本編、この番組本編の途中に挿入されているＣＭを区別することなく、１つの番組として記録媒体に録画する構成であった。
【０００３】
また、記録媒体に録画した番組を視聴しているときに、その再生位置が番組本編に挿入されているＣＭになると、この部分（ＣＭが録画されている部分）を早送りするユーザも多く、ＣＭ部分を早送りするユーザの使い勝手を向上させるために、再生時に番組本編に挿入されているＣＭを検出し、ＣＭを自動的にスキップしながら再生する、すなわちＣＭを飛ばすことにより番組本編のみを再生する、構成の録画再生装置が提案されている。この録画再生装置では、ユーザが再生時に特別な操作、具体的にはＣＭ部分を早送りするための操作、を行わなくても、番組本編のみ再生される。すなわち、ユーザは特別な操作を行うことなく、番組本編だけを視聴することができる。
【０００４】
また、テレビ放送されてる番組の録画時に、この番組本編に挿入されているＣＭを記録媒体に録画せず、番組本編のみを記録媒体に録画する構成の録画再生装置も提案されている。この構成の録画再生装置では、番組本編の途中に挿入されているＣＭが記録媒体に録画されないので、記録媒体の記録容量を有効に使用することができる。また、上述のＣＭ部分をスキップする構成の録画再生装置と同様に、ユーザは特別な操作を行うことなく、番組本編だけを視聴することができる。
【０００５】
ところで、上述の録画再生装置は、番組本編の途中に挿入されているＣＭがユーザにとって不必要なものであり、ＣＭをユーザが視聴しないという考えに基づくものであった。一方、番組を放送しているテレビ局は、番組の制作費等の費用を得るために、番組本編の途中にＣＭを挿入して放送している。具体的には、番組の制作費等の費用をスポンサに負担させる代りに、このスポンサのＣＭを番組本編の途中に挿入して放送している。言い換えれば、スポンサは、ＣＭを放送することによる宣伝効果の見返りとして、番組の制作費等の費用を負担している。したがって、スポンサは、宣伝効果をあげるために、ＣＭをより多くの人に視聴してもらいたい。また、テレビ局は、ＣＭを視聴する人が減少すると、スポンサがＣＭの放送にかかる費用負担を抑えるので、スポンサと同様に、ＣＭをより多くの人に視聴してもらいたい。そこで、番組本編の途中に挿入するＣＭをユーザが希望する種類や分野のＣＭにすることで、録画した番組の再生時に、ＣＭを飛ばすユーザを抑え、より多くのユーザにＣＭを視聴させるシステムが提案されている（特許文献１参照）。
【特許文献１】特開２００３−１１０９８０号公報
【発明の開示】
【発明が解決しようとする課題】
【０００６】
しかしながら、従来の装置は、ユーザの使い勝手を考慮して、録画した番組をＣＭ無しで、すなわち番組本編のみ連続して、再生できる構成ではあったが、番組本編の途中に挿入されているＣＭだけを連続して再生することができなかった。このため、ユーザは録画した番組の途中に挿入されているＣＭだけを連続して視聴することができなかった。このことが、番組本編の途中に挿入されているＣＭを視聴するユーザを低下させる要因でもあった。例えば、ユーザが気分転換に番組本編に挿入されているＣＭだけを視聴したいと思っても、番組本編の途中に挿入されているＣＭだけを連続して再生し、視聴することができる、録画再生装置がこれまでなかった。
【０００７】
この発明の目的は、録画した番組について、その番組本編だけを連続して再生することができるだけでなく、番組本編に挿入されているＣＭだけを連続して再生することもでき、ユーザの使い勝手を低下させることなく、番組本編の途中に挿入されているＣＭを、より多くのユーザに視聴させることができる録画再生装置を提供することにある。
【課題を解決するための手段】
【０００８】
この発明の録画再生装置は、上記課題を解決するために以下の構成を備えている。
【０００９】
（１）テレビ放送されている番組を受信する受信手段と、
前記受信手段が受信している番組をディスク形状の記録媒体に録画する録画手段と、
ディスク形状の記録媒体に録画されている番組を再生する再生手段と、を備えた録画再生装置において、
前記録画手段が番組を録画しているときに、番組本編からコマーシャルメッセージに切り換わったこと、およびコマーシャルメッセージから番組本編に切り換わったことを検知するコマーシャルメッセージ検知手段を備え、
前記録画手段は、前記コマーシャルメッセージ検知手段による検知結果に基づいて、番組本編と、番組本編の途中に挿入されているコマーシャルメッセージとを記録媒体に別タイトルで録画する手段である。
【００１０】
この構成では、受信手段において受信されているテレビ放送されている番組が、録画手段によりディスク形状の記録媒体、ＤＶＤ（ディジタルバーサタイルディスク）やＨＤ（ハードディスク）等、に録画される。また、再生手段により、記録媒体に録画されている番組が再生される。さらに、録画手段による番組の録画時には、コマーシャルメッセージ検知手段により、番組本編からコマーシャルメッセージに切り換わったこと、およびコマーシャルメッセージから番組本編に切り換わったことが検知される。このコマーシャルメッセージ検知手段は、例えば予め設定されている音声モードであれば番組本編であるとし、それ以外の音声モードであればコマーシャルメッセージであるとする構成であってもよいし、また音声レベルの変化からコマーシャルメッセージと番組本編とを区別する構成であってもよいし、さらに音声モードが一定である時間を計測し、この時間からコマーシャルメッセージと番組本編とを区別する構成であってもよい。このように、コマーシャルメッセージ検知手段において、受信手段が受信している番組について、番組本編であるか、コマーシャルメッセージであるかが検知される。そして、録画手段が、番組本編と、番組の途中に挿入されているコマーシャルメッセージと、を区別し、別タイトルで記録媒体に録画する。したがって、一連の録画において、番組本編とコマーシャルメッセージとが、別タイトルで記録媒体に録画される。
【００１１】
これにより、番組本編のみを再生することもできれば、番組本編の途中に挿入されているコマーシャルメッセージだけを再生することもできる。例えば、ユーザは、気分転換に番組本編に挿入されていたＣＭだけを視聴したいと思ったときに、番組本編の途中に挿入されているＣＭだけを連続して再生し視聴することができる。また、番組本編の途中に挿入されているＣＭを飛ばして再生したいと思ったときには、番組本編だけを再生することもできる。したがって、ユーザの使い勝手を低下させることなく、番組本編の途中に挿入されているＣＭをより多くのユーザに視聴させることができる。
【００１２】
（２）前記録画手段は、番組本編の途中に挿入されている、時間的に連続している複数のコマーシャルメッセージについては同じタイトル名で記録媒体に録画する手段である。
【００１３】
この構成では、番組本編の途中に挿入されている時間的に連続している複数のコマーシャルメッセージについては、同じタイトル名で記録媒体に録画される。したがって、記録媒体に録画されるタイトル数の増加が抑えられるので、記録媒体に記録されているタイトルの管理にかかるユーザの手間を増加させ、ユーザの使い勝手を低下させるという問題も生じない。
【００１４】
（３）前記録画手段は、一連の録画における、番組本編、およびこの番組本編の途中に挿入されているコマーシャルメッセージを関連するタイトル名で記録媒体に録画する手段であり、
前記再生手段において、番組本編のみを連続して再生するか、番組本編にコマーシャルメッセージを挿入して再生するか、さらには番組本編の途中に挿入されていたコマーシャルメッセージのみを連続して再生するか、を選択する選択手段を備えている。
【００１５】
この構成では、ユーザは、番組本編のみを連続して再生することもできれば、番組本編にコマーシャルメッセージを挿入して再生することもでき、さらには番組本編の途中に挿入されているコマーシャルメッセージのみを連続して再生することもできる。したがって、ユーザは、そのときの気分に応じた再生が行え、ユーザの使い勝手を一層向上させることができる。
【発明の効果】
【００１６】
この発明によれば、ユーザは、番組本編のみを連続して再生することもできれば、番組本編の途中に挿入されているコマーシャルメッセージだけを連続して再生することもできるので、例えば、ユーザは、気分転換に番組本編に挿入されているＣＭを視聴したいと思ったときに、番組本編の途中に挿入されているＣＭだけを連続して再生し視聴することができる。また、番組本編の途中に挿入されているＣＭを飛ばして再生したいと思ったときには、番組本編だけを連続して再生することもできる。したがって、ユーザの使い勝手を低下させることなく、番組本編の途中に挿入されているＣＭをより多くのユーザに視聴させることができる。
【発明を実施するための最良の形態】
【００１７】
以下、この発明の実施形態である録画再生装置について詳細に説明する。
【００１８】
図１は、この発明の実施形態である録画再生装置の主要部の構成を示すブロック図である。この実施形態の録画再生装置１は、本体の動作を制御する制御部２と、テレビ放送の放送波を受信する受信部３と、上記受信部３で受信した放送波による映像、および音声を本体にセットされているＤＶＤ１０（ディジタルバーサタイルディスク）に記録（録画）したり、ＤＶＤ１０に記録されているデータ（録画データ）を読み取って再生する記録／再生部４と、記録／再生部４で再生された再生信号を出力する出力部５と、本体に対する入力操作を行う操作部５と、を備えている。受信部３は、選択されているチャンネルの放送波（テレビ放送信号）を抽出する公知のチューナを有している。このテレビ放送信号には、放送している番組またはコマーシャルメッセージ（以下、ＣＭと言う。）の映像信号および音声信号が含まれている。受信部３は、抽出した選択されているチャンネルのテレビ放送信号から映像信号、音声信号を分離し、記録再生部４に入力する。記録再生部４は、受信部３から入力された映像信号、および音声信号をエンコードし、ビデオストリーム、およびオーディオストリームを得る。さらに、これらを所定の単位でパケット化し、多重化したシステムストリームを得る。映像信号、および音声信号のエンコードは、例えばＭＰＥＧで行われる。記録／再生部４は、このシステムストリームをＤＶＤ１０に記録（録画）する。記録／再生部４は、レーザ光をＤＶＤ１０に照射するピックアップヘッドを有し、多重化したシステムストリームに基づいてピックアップヘッドからＤＶＤ１０に照射するレーザ光を制御することにより、受信部３で受信した映像および音声をこのＤＶＤ１０に録画する。また、記録／再生部４は、記録時よりも低パワーのレーザ光をＤＶＤ１０に照射し、その反射光をＤＶＤ１０に録画されている番組の映像、および音声のシステムストリームとして検出する読取も行う。さらに、記録／再生部４は、ＤＶＤ１０から読み取ったシステムストリームをビデオストリーム、およびオーディオストリームに分離するとともに、これらをデコードして出力する。出力部５は、記録／再生部４でデコードされた映像、および音声を、接続されている表示装置（不図示）やスピーカ（不図示）に応じた信号に変換し、出力する。さらに、操作部６は、装置本体に設けられた操作キーを有するとともに、図示していないリモコン装置から送信されてきた装置本体に対する制御信号を受信するリモコン受信部を有している。また、受信部３で受信した番組を録画するＤＶＤ１０は、装置本体に対して着脱自在である。
【００１９】
なお、この実施形態の録画再生装置１は、周知の予約録画機能によりテレビ放送されている番組をＤＶＤ１０に録画することができる。予約録画にかかる、予約録画開始時間、予約録画終了時間等の予約録画情報の設定は操作部６またはリモコン装置で行える。また、所定の入力操作（録画キーの操作）を行うことで、その時点において受信部３が受信しているチャンネルで放送されている番組、またはコマーシャルメッセージ（以下、単にＣＭと言う。）をＤＶＤ１０に録画するワンタッチ録画機能も有している。
【００２０】
また、この実施形態の録画再生装置１は、図１には示していないが、出力部５に接続されている表示装置に操作案内画面を表示させるＯＳＤ機能を有している。このＯＳＤ機能についても公知であるので、ここでは説明を省略する。
【００２１】
周知のように、殆どのテレビ局は番組本編の途中にスポンサのＣＭを挿入して番組を放送している。また、テレビ放送における音声信号には、ステレオ放送、２カ国語放送、モノラル放送等、音声モードを示す情報が含まれている。この実施形態の録画再生装置１は、受信部３で受信した音声信号の変化から受信しているテレビ放送信号が番組本編であるか、ＣＭであるかを検出する機能（この発明で言う、コマーシャルメッセージ検知手段に相当する。）を有している。例えば、予め番組本編の音声モードを設定しておき、設定されている音声モードであるテレビ放送信号については番組本編として検知し、それ以外のテレビ放送信号についてはＣＭとして検知する機能を有している。上述したようにテレビ放送における音声信号には上記音声モードを示す情報が含まれているので、この情報を読み取ることで受信部３で受信している音声信号の音声モードを検出することができる。
【００２２】
また、番組本編とＣＭとの間や、ＣＭとＣＭとの間には無音区間があることを利用し、音声レベルの変化、すなわち無音区間を検出により、ＣＭを検出する構成としてもよい。さらに、ＣＭの放送時間が番組本編の連続放送時間よりも短いことから、音声モードの変化および音声モードが一定である（変化しなかった）時間を計測し、これらの情報に基づいてＣＭを検知する構成としてもよい。
【００２３】
なお、上記の構成を組み合わせて受信部３で受信しているテレビ放送信号が番組本編であるか、ＣＭであるかを検出するように構成してもよい。
【００２４】
また、この実施形態の録画再生装置１は、番組の録画において、番組本編と、番組の途中に挿入されているＣＭと、を別タイトルでＤＶＤ１０に録画する。また、ＤＶＤ１０は、１つのタイトルを連続したアドレスに録画する。このため、図２（Ａ）に示すように、番組本編の途中にＣＭが挿入されている一連の番組をＤＶＤ１０に録画するとき、図２（Ｂ）に示すように、番組本編が連続している各区間と、ＣＭが連続している各区間とにそれぞれタイトルを付けて、ＤＶＤ１０に録画する。図２（Ａ）はテレビ放送信号を示しており、図２（Ｂ）はＤＶＤの記録領域を示している。具体的に言うと、図２（Ａ）に示すＴ１が録画開始タイミングであり、Ｔ２〜Ｔ３、Ｔ４〜Ｔ５、およびＴ６〜Ｔ７が番組本編に挿入されているＣＭの放送時間であり、Ｔ８が録画終了タイミングである。Ｔ１〜Ｔ２、Ｔ３〜Ｔ４、Ｔ５〜Ｔ６、およびＴ７〜Ｔ８が番組本編の放送時間である。Ｔ２〜Ｔ３、Ｔ４〜Ｔ５、およびＴ６〜Ｔ７の区間において放送されるＣＭは、１つである場合もあれば、複数である場合もある。
【００２５】
録画再生装置１は、Ｔ１〜Ｔ２、Ｔ２〜Ｔ３、Ｔ３〜Ｔ４、Ｔ４〜Ｔ５、Ｔ５〜Ｔ６、Ｔ６〜Ｔ７、およびＴ７〜Ｔ８の７つの区間に対して、個別にタイトルを付けてＤＶＤ１０に録画する。また、各区間には、一連の番組であることが分かるように、関連づけたタイトル名が付けられる。例えば、録画する番組の代表タイトルを予め決めている。例えば代表タイトルが「ＡＡＡ」である場合、Ｔ１〜Ｔ２の区間を「ＡＡＡ−本編１」とするタイトル名でＤＶＤ１０に録画し、Ｔ３〜Ｔ４の区間を「ＡＡＡ−本編２」とするタイトル名でＤＶＤ１０に録画し、Ｔ５〜Ｔ６の区間を「ＡＡＡ−本編３」とするタイトル名でＤＶＤ１０に録画し、Ｔ７〜Ｔ８の区間を「ＡＡＡ−本編４」とするタイトル名でＤＶＤ１０に録画する。また、Ｔ２〜Ｔ３の区間を「ＡＡＡ−ＣＭ１」とするタイトル名でＤＶＤ１０に録画し、Ｔ４〜Ｔ５の区間を「ＡＡＡ−ＣＭ２」とするタイトル名でＤＶＤ１０に録画し、Ｔ６〜Ｔ７の区間を「ＡＡＡ−ＣＭ３」とするタイトル名でＤＶＤ１０に録画する。このように、この実施形態の録画再生装置１は、一連の番組の録画において、番組本編と、番組の途中に挿入されているＣＭと、を別タイトルでＤＶＤ１０に録画するだけでなく、各区間に付けるタイトル名を代表タイトルで関連づけたタイトル名にしているので、ＤＶＤ１０に録画されている各タイトルの関係を、タイトル名から判断することができる。すなわち、代表タイトルが同じであるタイトルについては、一連の番組の録画であると判断できる。
【００２６】
なお、録画する番組の代表タイトル、上記の例における「ＡＡＡ」、については、例えば、ユーザに入力させてもよいし、またはＥＰＧ等を利用して取得するようにしてもよいし、さらには録画開始日時としてもよい。
【００２７】
このように、この実施形態の録画再生装置１は、図２（Ａ）に示すテレビ放送の番組をＤＶＤ１０に録画したとき、ＤＶＤ１０には図２（Ｂ）に示すように７つのタイトルが録画されることになる。また、これらのタイトルは、ＤＶＤ１０の記録領域に連続して録画される。
【００２８】
さらに、この実施形態の録画再生装置１は、図２（Ｂ）に示すように録画された一連の番組について、番組本編のみを連続して再生することもできれば、番組本編にＣＭが挿入された形（テレビ放送と同じ形）で再生することもできる。また、ＣＭだけを再生することもできる。また、いずれかのタイトルだけを再生することもできる。
【００２９】
次に、この実施形態の録画再生装置１における録画処理について説明する。図３は、この実施形態の録画再生装置１における録画処理を示すフローチャートである。この録画処理は、録画予約されている番組の録画開始時刻となったとき、または操作部６またはリモコン装置の録画キーが操作されたときに開始される。録画再生装置１は、このとき、指定されているチャンネルの放送波を受信部３で受信している。指定されているチャンネルとは、録画予約機能による録画の場合であれば、録画予約されていたチャンネルであり、録画キーの操作による録画の場合には、その時点において受信部３で受信していたチャンネルである。
【００３０】
録画再生装置１は、受信部３で受信しているチャンネルのテレビ放送信号が番組本編であるか、ＣＭであるかを判定する（ｓ１）。ｓ１では、この時点において受信部３で受信しているテレビ放送信号の音声信号から、番組本編を受信しているのか、ＣＭを受信しているのかを判断する。具体的には、受信部３で受信しているテレビ放送信号の音声モードが、予め設定されている番組本編の音声モードであれば番組本編であると判定し、反対に予め設定されている番組本編の音声モードと異なっていればＣＭであると判定する。録画再生装置１は、ｓ１で番組本編であると判定すると、これから録画する番組本編に対応するタイトルを生成し（ｓ２）、受信部３で受信しているテレビ放送信号に基づく番組の録画を開始する（ｓ３）。ｓ２では、今回録画する番組の代表タイトルと、本編の通し番号と、を含むタイトル名を作成する。今回録画する番組の代表タイトルについては、上述したように、ユーザが予め設定しておいてもよいし、また録画開始日時を示す情報等としてもよい。ｓ３で録画が開始された番組本編は、その直前にｓ２で生成されたタイトル名でＤＶＤ１０に録画される。また、ｓ３では、受信部３において、受信しているチャンネルのテレビ放送信号を映像信号、音声信号に分離し、記録再生部４に入力している。記録再生部４では、受信部３から入力された映像信号、および音声信号をエンコードし、ビデオストリーム、およびオーディオストリームを得る。そして、これらを所定の単位でパケット化し、多重化したシステムストリームを得、このシステムストリームをＤＶＤ１０に記録する処理を開始する。ＤＶＤ１０へのシステムストリームの記録については公知であるので、ここでは説明を省略する。また、録画再生装置１は、ＤＶＤ１０への番組の録画に先立って、公知のＯＰＣを行っており、録画時にＤＶＤ１０に照射するレーザ光の最適パワーを得ている。
【００３１】
録画再生装置１は、ｓ３で番組本編の録画を開始すると、受信部３において受信しているテレビ放送信号が番組本編からＣＭに切り換わるか（ｓ４）、または録画終了タイミングになるのを待つ（ｓ５）。ｓ４では、受信部３で受信しているテレビ放送信号における音声モードが変化したときに、すなわち受信部３で受信しているテレビ放送信号における音声モードが予め設定されている番組本編の音声モードと異なる音声モードに変化したときに、番組本編からＣＭに切り換わったと判定する。また、ｓ５では、録画予約により録画しているときには、この録画予約における番組の録画終了時刻になると、録画終了タイミングになったと判定する。また、録画再生装置１は、操作部６、またはリモコン装置に設けられている録画終了キーが操作されたときに、ｓ５で録画終了タイミングになったと判定する。
【００３２】
録画再生装置１は、ｓ４で番組本編からＣＭに切り換わったと判定すると、前回ｓ２で作成したタイトル名による番組本編のＤＶＤ１０への録画を終了し（ｓ６）、ｓ７に進む。録画再生装置１は、ｓ１で番組本編でなくＣＭであると判定したとき、またはｓ６にかかる処理を完了すると、これから録画するＣＭに対応するタイトルを生成し（ｓ７）、受信部３で受信しているテレビ放送信号に基づくＣＭの録画を開始する（ｓ８）。ｓ７では、今回録画している番組の代表タイトルと、ＣＭの通し番号と、を含むタイトル名を作成する。この番組の代表タイトルについては、上述したように、ユーザが予め設定しておいてもよいし、また録画開始日時を示す情報等としてもよい。ｓ８で録画が開始されたＣＭは、その直前にｓ７で生成されたタイトル名でＤＶＤ１０に録画される。また、ｓ８では、ｓ３と同様に、受信部３において、受信しているチャンネルのテレビ放送信号を映像信号、および音声信号に分離し、記録再生部４に入力する。記録再生部４では、受信部３から入力された映像信号、および音声信号をエンコードし、ビデオストリーム、およびオーディオストリームを得る。そして、これらを所定の単位でパケット化し、多重化したシステムストリームを得、このシステムストリームをＤＶＤ１０に記録する。
【００３３】
録画再生装置１は、ｓ８でＣＭの録画を開始すると、受信部３において受信しているテレビ放送信号がＣＭから番組本編に切り換わるか（ｓ９）、または録画終了タイミングになるのを待つ（ｓ１０）。ｓ９では、受信部３で受信しているテレビ放送信号における音声モードが予め設定されている番組本編の音声モードに変化したときに、すなわち受信部３で受信しているテレビ放送信号における音声モードが予め設定されている番組本編の音声モードになったときに、ＣＭから番組本編に切り換わったと判定する。また、ｓ１０では、ｓ５と同様に、録画予約により録画しているときには、この録画予約における番組の録画終了時刻になると、録画終了タイミングになったと判定する。また、録画再生装置１は、操作部６、またはリモコン装置に設けられている録画終了キーが操作されたときにも、ｓ１０で録画終了タイミングになったと判定する。録画再生装置１は、ｓ９で、受信部３において受信しているテレビ放送信号がＣＭから番組本編に切り換わったと判定すると、前回ｓ７で作成したタイトル名によるＤＶＤ１０へのＣＭの録画を終了し（ｓ１１）、ｓ２に戻って、上述した処理を繰り返す。
【００３４】
このように、録画再生装置１は、一連の番組の録画において、番組本編と、番組の途中に挿入されているＣＭと、を異なるタイトル名でＤＶＤ１０に録画する。また、タイトル名には、代表タイトルと、番組本編、またはＣＭであることを示す通し番号が付けられているので、複数のタイトルに分割してＤＶＤ１０に録画した一連の番組であっても、タイトル名からその関係を容易に判断することができる。
【００３５】
録画再生装置１は、ｓ５またはｓ１０で、録画終了タイミングであると判定すると、今回の一連の番組の録画終了を終了し（ｓ１２）、本処理を終了する。これにより、例えば、上述した図２（Ａ）に示すテレビ放送の番組をＤＶＤ１０に録画したときには、図２（Ｂ）に示すように７つのタイトルがＤＶＤ１０に録画される。
【００３６】
次に、この実施形態の録画再生装置１における再生処理について説明する。図４は、この発明の実施形態である録画再生装置における再生処理を示すフローチャートである。この実施形態の録画再生装置１は、上述したように、一連の録画において、番組本編および番組の途中に挿入されているＣＭを複数のタイトルに分割し、ＤＶＤ１０に録画している。また、この一連の録画における複数のタイトルについては、そのタイトル名に代表タイトルが含まれている。録画再生装置１は、ＯＳＤ機能により、出力部５に接続されている表示装置に対して、図５（Ａ）に示す、再生する番組の代表タイトルの選択入力を要求するＯＳＤ画像を出力し（ｓ２１）、代表タイトルが選択されるのを待つ（ｓ２２）。図５（Ａ）は、ＤＶＤ１０に代表タイトルが「ＡＡＡ」、「ＢＢＢ」、および「ＣＣＣ」である、３つの番組が録画されている場合を示している。ユーザは、例えばリモコン装置のテンキーを操作して、再生する代表タイトルを選択する入力を行う。
【００３７】
録画再生装置１は、ｓ２２で再生する番組の代表タイトルの選択を受け付けると、再生方法の選択入力を要求するＯＳＤ画像（図６（Ｂ）参照）を出力し（ｓ２３）、再生方法の選択入力が行われるのを待つ（ｓ２４）。録画再生装置１は、
（１）番組本編のみ再生する（ＣＭをスキップして再生する）
（２）番組本編にＣＭを挿入した形で再生する（テレビ放送と同じ形で再生する）
（３）ＣＭのみ再生する（番組本編をスキップして再生する）
（４）指定したタイトルのみ再生する
の、４種類の再生が行える。再生方法は、ユーザが自由に選択できる。ユーザは、例えばリモコン装置のテンキーを操作して、再生方法を選択する。
【００３８】
録画再生装置１は、ｓ２４で再生方法の選択を受け付けると、今回の再生方法が指定したタイトルの再生であるかどうかを判定する（ｓ２５）。録画再生装置１は、ｓ２５で今回の再生方法が指定したタイトルの再生であると判定すると、再生するタイトルの指定を受け付けるタイトル選択用ＯＳＤ画像（図６（Ｃ）参照）を出力し（ｓ２６）、再生するタイトルの選択入力が行われるのを待つ（ｓ２７）。ｓ２７では、ｓ２２で受け付けた代表タイトルで録画された一連の番組において、区別されているいずれかのタイトルの再生指定を受け付ける。図６（Ｃ）は、図２に示した代表タイトル「ＡＡＡ」がｓ２２で選択されたときの例を示している。
【００３９】
録画再生装置１は、ｓ２５で今回の再生方法が指定したタイトルの再生でないと判定した場合、またはｓ２７で再生するタイトルが指定されると、再生を開始する（ｓ２８）。ｓ２８では、上述の（１）〜（４）の中で、今回選択された再生方法による再生が行われる。例えば、図２に示す代表タイトル「ＡＡＡ」の再生が選択されているときに、再生方法として上述の（１）番組本編のみ再生する、が選択された場合、ＤＶＤ１０に録画されている「ＡＡＡ−本編１」、「ＡＡＡ−本編２」、「ＡＡＡ−本編３」、「ＡＡＡ−本編４」をこの順に連続して再生する処理を開始する。また、再生方法として上述の（２）番組本編にＣＭを挿入した形で再生する、が選択された場合、ＤＶＤ１０に録画されている「ＡＡＡ−本編１」、「ＡＡＡ−ＣＭ１」、「ＡＡＡ−本編２」、「ＡＡＡ−ＣＭ２」、「ＡＡＡ−本編３」、「ＡＡＡ−ＣＭ３」、「ＡＡＡ−本編４」をこの順に連続して再生する処理を開始する。また、再生方法として上述の（３）ＣＭのみ再生する、が選択された場合、ＤＶＤ１０に録画されている「ＡＡＡ−ＣＭ１」、「ＡＡＡ−ＣＭ２」、「ＡＡＡ−ＣＭ３」をこの順に連続して再生する処理を開始する。さらに、再生方法として上述の（４）指定したタイトルのみ再生する、が選択された場合、ｓ２７で選択を受け付けたタイトル、例えば「ＡＡＡ−本編１」、のみを再生する処理を開始する。
【００４０】
録画再生装置１は、ｓ２８で再生を開始すると、再生終了タイミングになるか（ｓ２９）、装置本体に対して何らかの入力がある（ｓ３０）、のを待つ。録画再生装置１は、装置本体に対して何らかの入力があると、その入力に応じた処理を行う（ｓ３１）。例えば、再生の一時停止にかかる入力があれば、ｓ３１で番組の再生を一時的に停止する。また、巻き戻しや、早送りにかかる入力があれば、その入力に応じて、ｓ３１で巻き戻し、または早送りを実行する。録画再生装置１は、再生の終了タイミングになったと判定すると、ＤＶＤ１０に録画されている番組の再生を終了し（ｓ３２）、本処理を終了する。
【００４１】
このように、この実施形態の録画再生装置１においては、ＤＶＤ１０に録画した番組について、番組本編だけ再生したり、番組本編にＣＭを挿入して再生したり、さらにはＣＭだけを再生することもできる。したがって、ユーザの使い勝手を低下させることなく、またユーザにＣＭを視聴させる機会を増大することもでき、より多くのユーザにＣＭを視聴させることができる。しかも、ユーザが気分転換に番組本編に挿入されているＣＭだけを視聴したいと思ったときに、番組本編の途中に挿入されているＣＭだけを連続して再生し、視聴することができるので、ユーザの使い勝手を一層向上させることができる。
【００４２】
なお、上記実施形態では、本願発明をテレビ放送されている番組をＤＶＤ１０に録画する録画再生装置を例にして説明をしたが、ＨＤに番組を録画する録画再生装置であっても、本願発明を適用することができる。また、ＨＤであれば、１つのタイトルを録画する領域が連続していなくてもよいので、一連の番組の録画において、例えば図２に示す番組の場合、「ＡＡＡ−本編１」、「ＡＡＡ−本編２」、「ＡＡＡ−本編３」、「ＡＡＡ−本編４」を、「ＡＡＡ−本編」とする１つのタイトル名で録画することもできる。同様に、「ＡＡＡ−ＣＭ１」、「ＡＡＡ−ＣＭ２」、「ＡＡＡ−ＣＭ３」を「ＡＡＡ−ＣＭ」とする１つのタイトル名で録画することもできる。
【図面の簡単な説明】
【００４３】
【図１】この発明の実施形態である録画再生装置の主要部の構成を示すブロック図である。
【図２】この発明の実施形態である録画再生装置におけるＤＶＤへの番組の録画方法を説明する図である。
【図３】この発明の実施形態である録画再生装置の録画処理を示すフローチャートである。
【図４】この発明の実施形態である録画再生装置の再生処理を示すフローチャートである。
【図５】この発明の実施形態である録画再生装置における再生時に出力するＯＳＤ画像を示す図である。
【符号の説明】
【００４４】
１−録画再生装置
２−制御部
３−受信部
４−記録／再生部
５−出力部
６−操作部
１０−ＤＶＤ
【図１】
0004501807.tif 000002
【図２】
0004501807.tif 000003
【図３】
0004501807.tif 000004
【図４】
0004501807.tif 000005
【図５】
0004501807.tif 000006